(57)【要約】【課題】電気接続部材を用いてケースの端部を支えるようにしてケース内における不均一な面を無くすことができる液体噴射ヘッドおよび液体噴射装置を提供すること。【解決手段】  液体をノズル面から噴射する液体噴射ヘッドであって、ケース３００と、ケース３００に配置されてノズル面とノズル面から液体を噴射するためのアクチュエータを有するヘッドユニット３２０と、ケース３００に配置された基板と、基板とヘッドユニット３２０のアクチュエータを電気的に接続する電気接続部材４００と、ヘッドユニット３２０をケースの端部２９０に対して支えるカバー部材３４０とを備え、電気接続部材４００は、アクチュエータに対面する本体部４０２と、本体部４０２の周囲に形成されて、ケースの端部２９０とヘッドユニット３２０の間に挟まれる帯状の周囲部分４０３と、を有している。【選択図】図６
2006212948.tif 000002
【特許請求の範囲】
【請求項１】
液体をノズル面から噴射する液体噴射ヘッドであって、
ケースと、
前記ケースに配置されて前記ノズル面と前記ノズル面から前記液体を噴射するためのアクチュエータを有するヘッドユニットと、
前記ケースに配置された基板と、
前記基板と前記ヘッドユニットの前記アクチュエータを電気的に接続する電気接続部材と、
前記ヘッドユニットを前記ケースの端部に対して支えるカバー部材と、を備え、
前記電気接続部材は、前記アクチュエータに対面する本体部と、前記本体部の周囲に形成されて、前記ケースの端部と前記ヘッドユニットの間に挟まれる帯状の周囲部分と、を有していることを特徴とする液体噴射ヘッド。
【請求項２】
前記帯状の周囲部分はグランドラインを有していることを特徴とする請求項１に記載の液体噴射ヘッド。
【請求項３】
前記ヘッドユニットの前記ノズル面の周縁部は前記カバー部材により密着して支持されており、前記カバー部材と前記ケースの間には、前記基板に接続された前記電気接続部材の接続部分が配置され、前記接続部分は、前記本体部と前記帯状の周囲部分に接続されていることを特徴とする請求項１に記載の液体噴射ヘッド。
【請求項４】
液体をノズル面から噴射する液体噴射ヘッドを有する液体噴射装置であって、
前記液体噴射ヘッドは、
ケースと、
前記ケースに配置されて前記液体を噴射するアクチュエータを有するヘッドユニットと、前記ケースに配置された基板と、
前記基板と前記ヘッドユニットの前記アクチュエータを電気的に接続する電気接続部材と、
前記ヘッドユニットを前記ケースの端部に対して支えるカバー部材と、を備え、
前記電気接続部材は、前記アクチュエータに対面する本体部と、前記本体部の周囲に形成されて、前記ケースの端部と前記ヘッドユニットの間に挟まれる帯状の周囲部分と、を有していることを特徴とする液体噴射装置。
【発明の詳細な説明】
【技術分野】
【０００１】
本発明は、液体を噴射する液体噴射ヘッドおよび液体噴射装置に関する。
【背景技術】
【０００２】
ターゲットに対して液体を噴射させる液体噴射装置として、記録ヘッドから記録媒体に対してインク滴を噴射させて印刷を行うインクジェット式記録装置が知られている。
そして、このようなインクジェット式記録装置は、インクカートリッジからインクの供給を受けるインクジェット式記録ヘッドと、記録用紙を記録ヘッドに対して相対的に移動させる紙送り手段を備え、記録ヘッドをキャリッジ上で記録用紙の幅方向に移動させながら記録ヘッドのノズルから記録媒体に対してインク滴を吐出させることによって、所望の文字や図形などの画像を記録する。
この種の記録ヘッドは、ケースを有しており、このケースの中には基板を収容している。この基板はフレキシブルケーブルを通じてヘッドユニットの圧電振動子に対して電気的に接続されている。これによって、基板は、フレキシブルケーブルを通じてヘッドユニットの圧電振動子に対して駆動信号を供給する（たとえば特許文献１）。
【０００３】
【特許文献１】特開２００４−１２２５１７号公報（第７頁〜第８頁、図５）
【発明の開示】
【発明が解決しようとする課題】
【０００４】
特許文献１に開示されている記録ヘッドでは、フレキシブルケーブルをケースの内部に通してあり、ヘッドユニットと基板がフレキシブルケーブルを介して電気的に接続されている。基板とヘッドユニットを接続するためには、フレキシブルケーブルは一定以上の長さを必要とし、記録ヘッドの小型化やあるいはフレキシブルケーブルの短縮化が難しかった。
このフレキシブルケーブルをケースの外部へケースの途中から引き出すことも考えられるが、ヘッドユニットとフレキシブルケーブルとの接合面の高さと、ケース内の他の面の高さとが不均一になったり、ケースに穴を形成するために、ケースにおけるインクのシール性を確保しにくく、ヘッドユニットとフレキシブルケーブルの接合およびフレキシブルケーブルと基板の接合作業が難しいという問題がある。また、ヘッドユニット付近における電位差を無くしたいという希望がある。
【０００５】
そこで本発明は上記課題を解消し、電気接続部材を用いてケースの端部を支えるようにしてケース内における不均一な面を無くすとともに、ヘッドユニット付近の電位差を無くすことができる液体噴射ヘッドおよび液体噴射装置を提供することを目的としている。
【課題を解決するための手段】
【０００６】
上記目的は、本発明にあっては、液体をノズル面から噴射する液体噴射ヘッドであって、ケースと、前記ケースに配置されて前記ノズル面と前記ノズル面から前記液体を噴射するためのアクチュエータを有するヘッドユニットと、前記ケースに配置された基板と、前記基板と前記ヘッドユニットの前記アクチュエータを電気的に接続する電気接続部材と、前記ヘッドユニットを前記ケースの端部に対して支えるカバー部材と、を備え、前記電気接続部材は、前記アクチュエータに対面する本体部と、前記本体部の周囲に形成されて、前記ケースの端部と前記ヘッドユニットの間に挟まれる帯状の周囲部分と、を有していることを特徴とする液体噴射ヘッドにより、達成される。
本発明の構成によれば、ヘッドユニットは、ケースに配置されて、ノズル面とノズル面から液体を噴射するためのアクチュエータを有する。基板は、ケースに配置されている。電気接続部材は本体部と帯状の周囲部分を有する。本体部は、アクチュエータに対面する部分である。帯状の周囲部分は、本体部の周囲に形成されていて、この帯状の周囲部分は、ケースの端部とヘッドユニットの間に挟まれる構造のものである。カバー部材は、ヘッドユニットをケースの端部に対して支えるものである。
これにより、ケースの端部は電気接続部材の帯状の周囲部分を用いて、支えることができるので、ケースの端部は、電気接続部材の帯状の周囲部分を用いて同一面上で支えることができ、ケースとヘッドユニットおよび電気接続部材の組立性が向上する。
【０００７】
本発明は、前記帯状の周囲部分はグランドラインを有していることが好ましい。
本発明の構成によれば、帯状の周囲部分はグランドラインを有していることにより、このグランドラインが本体部の周囲において長く形成することができるので、ヘッドユニットと電気接続部材の本体部付近における電位差を無くすことができる。
【０００８】
本発明は、前記ヘッドユニットの前記ノズル面の周縁部は前記カバー部材により密着して支持されており、前記カバー部材と前記ケースの間には、前記基板に接続された前記電気接続部材の接続部分が配置され、前記接続部分は、前記本体部と前記帯状の周囲部分に接続されていることが好ましい。
本発明の構成によれば、ヘッドユニットのノズル面の周縁部は、カバー部材により支持されている。カバー部材とケースの間には、電気接続部材の接続部分が配置されている。この接続部分は、本体部と帯状の周囲部分に接続されている。
これにより、ヘッドユニットのノズル面の周縁部はカバー部材との間に介在する接着材により密着して支持されていることから、ヘッドユニットのノズル面からの液体がノズル面の周縁部を通じてケースとカバー部材の間の電気接続部材の接続部分および基板側に侵入するのを防ぐことができ、液体のシール性を確保することができる。
【０００９】
上記目的は、本発明にあっては、液体をノズル面から噴射する液体噴射ヘッドを有する液体噴射装置であって、前記液体噴射ヘッドは、ケースと、前記ケースに配置されて前記液体を噴射するアクチュエータを有するヘッドユニットと、前記ケースに配置された基板と、前記基板と前記ヘッドユニットの前記アクチュエータを電気的に接続する電気接続部材と、前記ヘッドユニットを前記ケースの端部に対して支えるカバー部材と、を備え、前記電気接続部材は、前記アクチュエータに対面する本体部と、前記本体部の周囲に形成されて、前記ケースの端部と前記ヘッドユニットの間に挟まれる帯状の周囲部分と、を有していることを特徴とする液体噴射装置により、達成される。
これにより、ケースの端部は電気接続部材の帯状の周囲部分を用いて、支えることができるので、ケースの端部は、電気接続部材の帯状の周囲部分を用いて同一面上で支えることができ、ケースとヘッドユニットおよび電気接続部材の組立性が向上する。
【発明を実施するための最良の形態】
【００１０】
以下、本発明の好適な実施の形態を図面を参照して説明する。
図１は、本発明の液体噴射装置の好ましい実施形態であるインクジェット式記録装置１０を示している。
図１に示すインクジェット式記録装置１０は、インクジェットプリンタとも呼んでいる。インクジェット式記録装置１０は、本体部１を有している。この本体部１は、ガイドレール１７、プラテン１２、キャリッジ１４、インク吸引装置２０、記録ヘッド３０を備えている。記録ヘッド３０は、液体の噴射ヘッドの一例であり、印刷ヘッドとも言う。
【００１１】
図１に示すインクジェット式記録装置１０は、いわゆるオンキャリッジ型の記録装置であり、キャリッジ１４の上部には、複数のインクカートリッジ２，３，４，５が着脱可能に装着できる。キャリッジ１４の下部には、記録ヘッド３０が設けられている。キャリッジ１４は、ベルト１５を介してモータ１６に接続されている。モータ１６が作動することによって、キャリッジ１４はガイドレール１７に沿ってプラテン１２の軸方向である主走査方向Ｔに往復走行する。
【００１２】
ホームポジション１８は、ガイドレール１７の一方の端部に位置している。このホームポジション１８は、キャリッジの走行経路の末端にある非印刷領域である。このホームポジション１８には、本体部１の上にインク吸引装置２０が配置されている。このインク吸引装置２０は、液体吸引装置の一例でありキャッピングシステムもしくはキャッピング手段とも呼んでいる。図１のキャリッジ１４の記録ヘッド３０は、Ｔ１方向に沿ってホームポジション１８に移動することで、インク吸引装置２０のキャップ本体２１に対面する。
【００１３】
インク吸引装置２０は、記録ヘッド３０のノズル開口のインクの乾燥を防止する機能と、吸引ポンプ１９からの負圧をノズル開口に作用させてノズル開口からインクを強制的に吸引して排出させる機能を備える。この吸引ポンプ１９は、インク吸引装置２０を構成する一構成要素である。インク吸引装置２０は、液体吸引装置の一例である。インクは液体の一例である。
この他に、インク吸引装置２０の横には、ワイピング部材４００が設けられている。このワイピング部材４００は、必要に応じて記録ヘッド３０のノズルプレート面のインクを払拭する。
【００１４】
図２は、図１に示すインクジェット式記録装置１０の電気的な接続例を示している。インクジェット式記録装置１０の制御装置７は、ローカルプリンタケーブルまたは通信ネットワークを介してホストコンピュータ４０のプリンタドライバ４１に接続されている。プリンタドライバ４１は、インクジェット式記録装置１０に対して印刷やクリーニング動作あるいはインク吸引動作を実行させるためのコマンドを送るソフトウェアを搭載している。
【００１５】
図２に示すインクジェット式記録装置１０は、制御装置７の他に、センサー８、インク吸引装置２０、インクカートリッジ２，３，４，５、記録ヘッド３０、キャリッジ１４、用紙搬送機構１５Ａを含んでいる。
図１の実施形態では、複数のインクカートリッジ２，３，４，５が、キャリッジ１４の上に直接搭載されているが、これに限らずインクカートリッジ２，３，４，５がキャリッジとは別の位置に搭載されている、いわゆるオフキャリッジ型のインクジェット式記録装置を採用しても勿論構わない。
図２の用紙搬送機構１５Ａは、図１の用紙２９をプラテン１２上を搬送するようになっている。用紙２９は記録媒体の一種である。
【００１６】
図３は、図１に示す記録ヘッド３０の構造例を示す斜視図である。
図３の記録ヘッド３０は、概略的にはケース３００とカバーヘッド３４０およびヘッドユニット３２０を有している。
【００１７】
図４は、図３に示す記録ヘッド３０の分解斜視図である。図４に示すように、ケース３００は、ケースヘッド３１０とカバーケース３１１を有している。ケースヘッド３１０は、たとえば４つの針部材３１２と４つのフィルタ３１３を収容しており、針部材３１２はフィルタ３１３を介して流路開口３１４Ｒに接続されている。
ケースヘッド３１０の取り付け部３５２には基板３１４が配置されている。この基板３１４は、Ｚ方向に沿って立てて配置されていて、基板３１４はカバーケース３１１によりカバーされる構造である。図４に示す４つの針部材３１２は、図１に示す４つのインクカートリッジ２ないし５に対応して配置されていて、各針部材３１２は、インクカートリッジ２ないし５内のインクをそれぞれフィルタ３１３を通じて流路開口３１４Ｒに導入する。
【００１８】
ケース３００のケースヘッド３１０とカバーケース３１１は、たとえばプラスチックにより作られている。ケース３００のケースヘッド３１０の下部には突出部２００が形成されている。この突出部２００の下部には、電気接続部材４００およびヘッドユニット３２０が重ねて配置されている。
【００１９】
図４に示すヘッドユニット３２０は、次のような構成要素を有している。
ノズルプレート３２４は、最も下に位置しており、ノズルプレート３２４にはインクを吐出するための複数のノズル開口３２４Ａが形成されている。供給プレート３２３は、ノズルプレート３２４の上に配置されていて、供給プレート３２３はノズルプレート３２４のノズル開口３２４Ａに対してインクを供給するためのものである。
【００２０】
リザーバプレート３２２は、供給プレート３２３の下に配置されていて、リザーバプレート３２２へは供給プレート３２３側からインクを供給する。アクチュエータ３２１は、供給プレート３２３の上に配置されていて、アクチュエータ３２１は、電圧を印加することにより撓み振動をする複数の圧電振動子を有している。基板３１４から供給される駆動電圧は、電気接続部材４００を通じてアクチュエータ３２１の各圧電振動子に供給することができる。
【００２１】
アクチュエータ３２１、リザーバプレート３２２、供給プレート３２３およびノズルプレート３２４は、接着材により一体化されており、ヘッドユニット３２０を構成している。駆動電圧が基板３１４から電気接続部材４００を通じてアクチュエータ３２１に供給されると、アクチュエータ３２１の圧電振動子の振動によって、ノズルプレート３２４の任意のノズル開口３２４Ａからインクを吐出することができる。ノズルプレート３２４の下面は、ノズル面３２４Ｐである。
電気接続部材４００は、たとえばフレキシブルなＴＣＰ（テープ・キャリア・パッケージ）を採用することができる。この電気接続部材４００は、基板３１４とアクチュエータ３２１を、電気的に接続するためのフレキシブル配線板もしくはフレキシブルケーブルである。
【００２２】
図５は、この電気接続部材４００の形状例を示している。電気接続部材４００は、リード配線を形成したテープ状の絶縁フィルムに、たとえばＬＳＩ（大規模集積回路）のベアチップを搭載して、このチップのリードと接続したパッケージであり、表面実装型のものである。このＴＣＰは、ＴＡＢ（テープ・オートメイティッド・ボンディング）とも呼ぶことができる。
【００２３】
図５に示す電気接続部材４００は、接続部分４０１、本体部４０２、そして帯状の周囲部分４０３を有している。接続部分４０１は、本体部４０２と帯状の周囲部分４０３に対して連続的に形成されている。接続部分４０１は、本体部４０２と帯状の周囲部分４０３に対して所定の角度θの角度で立ち上げて形成されている。この接続部分４０１の一方の面４０１Ａは、基板３１４に対して電気的に接続されている。接続部分４０１の他方の面４０１Ｂは、ベアチップのようなＩＣ（集積回路）４２０を搭載していて、このＩＣ４２０に電気的に接続されている。
【００２４】
本体部４０２と帯状の周囲部分４０３は、接続部分４０１に電気的かつ機械的に接続されているが、本体部４０２は、帯状の周囲部分４０３の中に配置されている。帯状の周囲部分４０３は、同一面上に形成されているが、本体部４０２は、帯状の周囲部分４０３の面よりもややＺ１方向に持ち上がった状態で形成されている。図５の例では、本体部４０２の平面は、帯状の周囲部分４０３の平面と平行である。本体部４０２は、中心軸ＣＬを中心としてたとえば左右対称形状である。本体部４０２は、液体（インク）を通すための開口部４０２Ａを有している。
【００２５】
帯状の周囲部分４０３は、本体部４０２の周囲に形成されていて、たとえば帯状であって略Ｕ字型を形成している。この帯状の周囲部分４０３は、電気的なグランドラインを通すための部分であり、帯状の周囲部分４０３は本体部４０２の周囲に形成することにより、より長いグランドラインを形成することができる。帯状の周囲部分４０３は、液体（インク）を通すための開口部４０３Ａを有している。
帯状の周囲部分４０３は、ヘッドユニット３２０の上に密着して搭載されている。図６は、図３に示す記録ヘッド３０のＥ−Ｅ線における断面構造例を示している。
【００２６】
図６を参照しながら、ケース３００、電気接続部材４００およびヘッドユニット３２０の組立構造例について説明する。図６は図３に示す記録ヘッド３０のＥ−Ｅ線における断面構造例を示している。
ケースヘッド３１０は、たとえばプラスチックにより作られているが、ケースヘッド３１０はカートリッジガイド４４０と突出部２００を有している。カートリッジガイド４４０は、インクカートリッジ２ないし５が装着された場合に、針部材３１２に対してインクカートリッジ２ないし５の対応する部分をはめ込むためのガイド部材である。
カートリッジガイド４４０は、Ｚ１方向に突出して形成されている。カートリッジガイド４４０の中央には針部材３１２がＺ１方向に突出して設けられている。
【００２７】
ケースヘッド３１０の突出部２００は、カートリッジガイド４４０と反対方向のＺ２方向に向けて突出して形成されている。突出部２００は、端部２９０を有している。端部２９０は、図示例では下端部であるが、端部２９０は、電気接続部材４００の帯状の周囲部分４０３の上に同一面状態になるように載っている。帯状の周囲部分４０３は、この突出部２００の端部２９０とヘッドユニット３２０の上面の間に挟まれた状態にある。
本体部４０２は、帯状の周囲部分４０３に比べて、Ｚ１方向に持ち上げるように平行に位置している。本体部４０２はアクチュエータ３２１の上に配置されている。
【００２８】
電気接続部材４００の接続部分４０１は、基板３１４に対して電気的に接続されている。この基板３１４は、カバーケース３１１を用いて、取り付け部３５２側に対して固定されている。この状態では、基板３１４はカバーケース３１１側に対面しており、チップ４２０は突出部２００の外面側に対面している。
基板３１４は、突出部２００とカバーヘッド３４０の間においてＺ１方向に立てて配置されているのが特徴的である。この接続部分４０１の形成方向は、帯状の周囲部分４０３と本体部４０２の形成方向に対してたとえば略９０度交差する方向に配置されている。接続部分４０１と帯状の周囲部分４０３および本体部４０２の中間部分４０９は、端部２９０の形状に合わせてやや屈曲して形成されている。
突出部２００の端部２９０は、帯状の周囲部分４０３の上に載っているが、この帯状の周囲部分４０３は、端部２９０とヘッドユニット３２０の間に挟まれている。端部２９０はこの帯状の周囲部分４０３により、同一面上に密着して支持されている。
【００２９】
カバーヘッド３４０は、たとえば金属により作られている。このカバーヘッド３４０は、図４にも示すように、底面部３４０Ｂと４つの側面部３４０Ｓを有している。側面部３４０Ｓの上端部には、延長部３４０Ｈが形成されている。底面部３４０Ｂは、矩形状の開口部３４０Ｐを有している。この開口部３４０Ｐは、ノズルプレート３２４のノズル開口３２４Ａを露出させている。
図６のカバーヘッド３４０の開口部３４０Ｐの周辺部分３４０Ｒは、図４のノズルプレート３２４の四辺の縁部分に対して接着材を介して密着して配置されている。これにより、ノズル面３２４Ｐから噴射されるインクは、周辺部分３４０Ｒとノズル面３２４の縁部分との間からケースヘッド３４０とカバーヘッド３４０の間に侵入するのを防ぐことができる。基板３１４とチップ４２０および電気接続部材４００の接続部分４０１へのインクの侵入を確実に防いで、インクのシール性を確保することができる。
【００３０】
図７は、ケースヘッド３１０の突出部２００の端部２９０が、帯状の周囲部分４０３の上に密着してしかも同一面上で搭載されている様子を示している。図４ないし図６に示すように、本発明の実施形態によれば、電気接続部材４００の本体部４０２は、アクチュエータ３２１の複数の圧電振動子に対して電気的に接合される接合面である。この本体部４０２の周囲には、囲むようにして帯状の周囲部分４０３が形成されている。この帯状の周囲部分４０３はたとえばＵ字型の帯状部分であるが、帯状の周囲部分４０３には、電気的なグランドラインを配置するのが好ましい。帯状の周囲部分４０３は本体部４０２の周囲に長く形成することもできるので、グランドラインを長く配置でき、この際にヘッドユニットのアクチュエータに対して駆動電圧を供給する際の電位差を０にするかもしくは極力小さくすることができる。
【００３１】
図６に示すように、ケースヘッドの突出部２００の端部２９０は、カバーヘッド３４０の内側において、帯状の周囲部分４０３を用いて同一面上に支持することができる。
このためカバーヘッド３４０がケースヘッド３１０側に取り付けられた場合に、カバーヘッド３４０は、同一面上にある端部２９０との間で、帯状の周囲部分４０３とヘッドユニット３２０は同一面上でＺ方向に凹凸が生じないようにして確実に固定することができる。
図６に示すように、カバーヘッド３４０の延長部分３４０Ｈは、カバーケース３１１の溝３１１Ｂに対して水平にはめ込むことで固定することができる。カバーヘッド３４０の反対側の延長部分３４０Ｈは、ケースヘッド３１０の下面３１０Ｗに対して密着されている。このようにカバーヘッド３４０は、突出部２００の周囲と、電気接続部材４００およびヘッドユニット３２０の周縁部を覆った状態で、カバーヘッド３４０はヘッドユニット３２０を突出部２００の端部２９０に対して密着して固定することができる。
【００３２】
本発明の実施形態では、ケースの端部は電気接続部材の帯状の周囲部分を用いて、支えることができるので、ケースの端部は、電気接続部材の帯状の周囲部分を用いて同一面上で支えることができ、ケースとヘッドユニットおよび電気接続部材の組立性が向上する。帯状の周囲部分はグランドラインであることにより、このグランドラインが本体部の周囲において長く形成することができるので、ヘッドユニットと電気接続部材における電位差を無くすことができる。ヘッドユニットのノズル面の周縁部はカバー部材との間に介在する接着材により密着して支持されていることから、ヘッドユニットのノズル面からの液体がノズル面の周縁部を通じてケースとカバー部材の間の電気接続部材の接続部分および基板に侵入するのを防ぐことができ、液体のシール性を確保することができる。
【００３３】
図示した本発明の実施形態においては、ブラックインク、シアンインク、マゼンタインク、イエローインクの各インクを使用する４つのインクカートリッジが、キャリッジに装着できるようになっている。このインクカートリッジの数はこれに限らず、ブラックインク用のインクカートリッジだけを備えているものや、ブラックインクを除いた２色や３色のカラーインク用の３つのインクカートリッジや、あるいは５つのインクカートリッジ、あるいは６つ以上のインクカートリッジを備えているものであってもよい。
【００３４】
本発明は、インクジェット式記録装置としての上記実施形態に限定されず、特許請求の範囲を逸脱しない範囲で種々の変更を行うことができる。さらに、上述の各実施形態は、相互に組み合わせて構成するようにしてもよい。また、本発明は、インクジェット式記録装置に限らず、プリンタ等の画像記録装置に用いられる記録ヘッド、液晶ディスプレイ等のカラーフィルタの製造に用いられる色材噴射ヘッド、有機ＥＬディスプレイ、ＦＥＤ（面発光ディスプレイ）等の電極形成に用いられる電極材噴射ヘッド、バイオチップ製造に用いられる生体有機物噴射ヘッド等の液体を吐出する液体噴射ヘッドを用いた液体噴射装置、精密ピペットとしての試料噴射装置等にも適用できる。
【００３５】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
【図面の簡単な説明】
【００３６】
【図１】本発明の液体噴射装置の好ましい実施形態であるインクジェット式記録装置を示す斜視図。
【図２】図１のインクジェット式記録装置における電気的な接続例を示すブロック図。
【図３】記録ヘッドの構造例を示す斜視図。
【図４】記録ヘッドの分解斜視図。
【図５】記録ヘッドの電気接続部材と基板およびヘッドユニットを示す斜視図。
【図６】図３に示す記録ヘッドにおけるＥ−Ｅ線における断面図。
【図７】図６の記録ヘッドにおけるケースヘッドの突出部の端部が電気接続部材の帯状の周囲部分において同一面に搭載されている様子の例を示す斜視図。
【符号の説明】
【００３７】
１０・・・インクジェット式記録装置（液体噴射装置の一例）、２００・・・突出部、２９０・・・ケースの端部、３００・・・ケース、３１０・・・ケースヘッド、３２０・・・ヘッドユニット、３４０・・・カバーヘッド、４００・・・電気接続部材、４０２・・・本体部、４０３・・・帯状の周囲部分
【図１】
2006212948.tif 000003
【図２】
2006212948.tif 000004
【図３】
2006212948.tif 000005
【図４】
2006212948.tif 000006
【図５】
2006212948.tif 000007
【図６】
2006212948.tif 000008
【図７】
2006212948.tif 000009